(57)【要約】【課題】ディストリビュータを用いることなく、また、リム通水路への洗浄水の供給を必要最小限である１径路の通水路だけで行なってボウル面上に良好な渦流を形成させてボウル面を良好に洗浄できる水洗式大便器を提供すること。【解決手段】ボウル部と、前記ボウル部の上部周縁に設けたリム通水路とこのリム通水路の底部側に連続して開口したスリットとを備えたリム部と、前記リム通水路に洗浄水を供給するための一径路の導水路とを一体成形した水洗式大便器であって、前記導水路の前記リム通水路と連通する連通部を前記水洗式大便器の左右方向の中心軸線のいずれかの一方向に偏向した位置に形成し、前記一方向に偏向した側の前記リム通水路のスリットの一部にスリット間隔が小さい小間隔スリット部を配設し、前記小間隔スリット部の上流側端を前記連通部の近傍で且つ前記左右方向の中心線より前記一方向に偏向した側に設けた。【選択図】  図１
2004238891.tif 000002
【特許請求の範囲】
【請求項１】
ボウル部と、前記ボウル部の上部周縁に設けたリム通水路とこのリム通水路の底部側に連続して開口したスリットとを備えたリム部と、前記リム通水路に洗浄水を供給するための一径路の導水路とを一体成形した水洗式大便器であって、
前記導水路の前記リム通水路と連通する連通部を前記水洗式大便器の左右方向の中心軸線のいずれかの一方向に偏向した位置に形成し、
前記一方向に偏向した側の前記リム通水路のスリットの一部にスリット間隔が小さい小間隔スリット部を配設し、
前記小間隔スリット部の上流側端を前記連通部の近傍で且つ前記左右方向の中心軸線より前記一方向に偏向した側に配設した、
ことを特徴とする水洗式大便器。
【請求項２】
前記小間隔スリット部の下流側端を前記ボウル部の前後方向の中心軸線より後方側で、且つ前記一方向に偏向した側のリム通水路に配設したことを特徴とする請求項１記載の水洗式大便器。
【請求項３】
前記リム通水路の底部側に前記ボウル部と連続して形成した棚部を備えたことを特徴とする請求項１または２に記載の水洗式大便器。
【発明の詳細な説明】
【０００１】
【発明の属する技術分野】
本発明は、水洗式大便器の改良に関するものである。
【０００２】
【従来の技術】
従来の水洗式大便器としては、図５に示すように便器本体５１のボウル面５４内に渦流を形成させて効率良く汚物を排出するために、ボウル面５４内の上縁部に形成されたリム通水路５３の底面には多数のリム孔５３ａが形成され、一部のリム孔は大径のリム孔５３ｂとなっており、この大径のリム孔５３ｂから大量の洗浄水を流して、良好に渦流がボウル面５４上で形成されるように構成されている。しかし、このような構造においては、リム通水路５３の底側に多数のリム孔５３ａ，５３ｂを成形させねばならず、加工が困難でコスト高となってしまうという問題点があった。
【０００３】
そのため、リム孔５３ａ，５４ｂを形成させることなく良好な渦流をボウル面上に形成させるために、図６に示すように、大便器後方にディストリビュータ６２を設けて、このディストリビュータ６２から枝分かれした左管６２ａと右管６２ｂの開口幅を変えて、例えば右管６２ｂの先端から大量に洗浄水がボウル面６３内に流出されて良好に鉢面（ボウル面）６３上で渦流が形成されるように構成した便器６１が存在する。このようなディストリビュータ６２を用いた便器６１においては、ディストリビュータ６２によりボウル面６３内へ排出する洗浄水の左右のバランスを変えて渦流を形成させるものであるため、ディストリビュータ６２を別途取付ける必要があった。
【０００４】
これらの問題点を解決すべくディストリビュータを用いることなくボウル面上で良好な渦流を形成させてボウル面を良好に洗浄できる水洗式大便器として、図７に示すような大便器の後部上面に開設した洗浄水口２から大便器のボウル面後部部位へ洗浄水を通す中央通水路３を備え、該中央通水路３を、前記洗浄水口２側を狭くして前記ボウル面側へ向かって扇状に拡開する形状に形成し、便器ボウル面上縁部には底が開放されたリム通水路５が形成され、該リム通水路５へ前記洗浄水口２から前記中央通水路３の左右何れか側を通り、片回りで洗浄水の大半が供給されるように外側通水路４を構成した水洗式大便器が知られている（特許文献１参照）。
【０００５】
【特許文献１】
特開平１１−１９５４号公報（第２頁〜４頁、第１図〜４図）
【発明が解決しようとする課題】
【０００６】
しかし、特許文献１の水洗式大便器は、リム通水路５に洗浄水を供給する中空状の中央通水路３と外側通水路４の２径路の通水路を一体に成形しなければならず、一体成形するための成形用型の構造が複雑になる。また、大便器は外観形状が左右対称であることが望まれている。そのため外側通水路４を形成しない側にも必然的に中空部を形成して左右対称の形状とする必要があり、成形用型構造がさらに複雑となってコスト高となる。
【０００７】
本発明は上記従来の問題に鑑みてなされたものであり、ディストリビュータを用いることなく、また、リム通水路への洗浄水の供給を必要最小限である１径路の通水路だけで行なってボウル面上に良好な渦流を形成させてボウル面を良好に洗浄できる水洗式大便器を提供することを目的とする。
【０００８】
【課題を解決するための手段及び作用・効果】
上記課題を解決するために、本発明は、ボウル部と、前記ボウル部の上部周縁に設けたリム通水路とこのリム通水路の底部側に連続して開口したスリットとを備えたリム部と、前記リム通水路に洗浄水を供給するための一径路の導水路とを一体成形した水洗式大便器であって、前記導水路の前記リム通水路と連通する連通部を前記水洗式大便器の左右方向の中心軸線のいずれかの一方向に偏向した位置に形成し、前記一方向に偏向した側の前記リム通水路のスリットの一部にスリット間隔が小さい小間隔スリット部を配設し、前記小間隔スリット部の上流側端を前記連通部の近傍で且つ前記左右方向の中心軸線より前記一方向に偏向した側に配設した、ことを特徴とする。
【０００９】
前記連通部からリム通水路に供給された洗浄水の大半が連通部の偏向した側のリム通水路に向って流出し、リム通水路内を周回しながらボウル部内に流下していく。そして、小間隔スリット部においてリム通水路内の洗浄水の水勢が増大され小間隔スリット部の下流側端の近傍のスリットから大流量の洗浄水が流出してボウル部内に良好な渦流を発生させ、ボウル面の洗浄と汚物の排出を効果的に行なうことができる。
また、小間隔スリット部からも洗浄水が拡張されてボウル部内に流下して小間隔スリット部の近傍のボウル面を万遍なく洗浄する。
また、導水路が一径路でボウル部及びリム部と一体成形しているので、ディストリビュータなどの別部材が不要となり、便器本体の外観形状をシンプルな構成にすることができる。
【００１０】
本発明の好ましい形態としては、前記小間隔スリット部の下流側端を前記ボウル部の前後方向の中心軸線より後方側で、且つ前記一方向に偏向した側のリム通水路に配設した構成とする。
そうすることにより、前記小間隔スリット部の下流側端の近傍のスリットから流出した洗浄水の大半は大便器の前側のボウル面付近でＵターンし、排水トラップ入口へ汚物を押し込むように流れ、残りの洗浄水は、リム通水路内を周回しながらボウル面に流下して洗浄を行なう。
前記ボウル部の前後方向の中心軸線より前方側まで小間隔スリット部を延設すると、排水トラップへ汚物を押し込むように流れる洗浄水の水流が弱くなり汚物の排出が十分に行われない恐れがある。
【００１１】
また、本発明の好ましい形態としては、前記リム通水路の底部側に前記ボウル部と連続して形成した棚部を備えた構成とする。
そうすることにより、洗浄水が前記棚部に案内されてリム通水路の全周に行き亘らせ易くなり、棚部から洗浄水が流下してボウル面を万遍なく洗浄することができる。
【００１２】
【発明の実施の形態】
本発明の実施例に係る水洗式大便器を図面に基づいて説明する。
図１は便器本体の平面図であり、図２は便器本体の中央のＡ−Ａ縦断面図である。図３は図１のＢ−Ｂ縦方向の部分断面図、図４は図１のＣ−Ｃ縦方向の部分断面図である。
【００１３】
図１、図２に示すように、便器本体１１の後部上面の略中央には洗浄水流入口１２が開設されており、この洗浄水流入口１２へは上方に設置される図示しないロータンクやフラッシュバルブ等の便器洗浄水を供給する洗浄水供給装置から洗浄水が供給される。この洗浄水流入口１２の下部には、便器本体１１の前方側へ向かって、ボウル部１６の上部周縁に形成されたリム部１５のリム通水路１５ａに連通する導水路１３が便器本体１１と泥漿鋳込み成形により一体成形で形成している。
【００１４】
導水路１３は洗浄水流入口１２から途中まで便器本体の左右方向の中心軸線Ｘと略平行に形成し、前記途中から図１において上方側に偏向した偏向部１３ｂを設け、偏向部１３ｂの端部をリム通水路１５ａと連通する連通部１３ａとしている。連通部１３ａは中心軸線Ｘより便器前側からみて右側（図１においては上側）に偏向し、連通部１３ａの一方端１３ｃが中央軸線Ｘと略一致するように配設している。
【００１５】
リム部１５にはその底側全周に連続開口したスリット１５ｂとボウル面１６ａと連続した棚部１５ｃを有するリム通水路１５ａが形成され、ボウル面１６ａに向かってリム通水路１５ａからスリット１５ｂを通り、洗浄水が流下するように構成されている。
【００１６】
中心軸線Ｘより右側（図１においては上側）でしかも連通部１３ａの近傍のスリット１５ｂの一部に、図３に示すスリットの開口間隔の寸法が１〜５ｍｍの狭い小間隔スリット部１５ｃを設けている。小間隔スリット部１５ｃ以外のスリット１５ｂの開口間隔の寸法は図４に示すように約１０ｍｍである。
小間隔スリット部１５ｃの部分の棚部１５ｄはボウル部１６の上部外側部１６ｄを凹形状１６ｅにして、ボウル面１６ａ側に迫り出すように形成している。
小間隔スリット部１５ｃの上流側端１５ｅは連通部１３ａの中心軸線Ｚと略一致する位置に配設し、下流側端１５ｆはボウル部１６の前後方向の中心軸線Ｙより便器後方側で中心軸線Ｘと中心軸線Ｙとの交点を通る４５゜軸線Ｗと略一致する位置に配設している。
【００１７】
ボウル部１６の底部には排水トラップ入口１７ａを有し、排水トラップ入口１７ａから連続して後方側に向って上方に傾斜した排水路を形成して排水トラップ１７を構成している。そして、溜水面１４の高さ位置まで洗浄水を溜めて封水を確保している。
【００１８】
次に、洗浄動作について説明する。
図示しないロータンクやフラッシュバルブ等の便器洗浄水を供給する洗浄水供給装置から洗浄水流入口１２へ供給された洗浄水は、洗浄水流入口１２から導水路１３の偏向部１３ｂを通り連通部１３ａからリム通水路１５ａに流出する。
連通部１３ａから流出した洗浄水の大半は時計回り方向でリム通水路１５ａに流入し、一部はリム通水路１５ａを反時計回り方向の流入するとともに、連通部１３ａ近傍のスリット１５ｂからボウル面後部１６ｃに流下する。
【００１９】
リム通水路１５ａの小間隔スリット部１５ｃに流入した洗浄水は、棚部１５ｄに案内されてリム通水路１５ａ内をボウル面後部１６ｃまで周回しながらスリット１５ｂからボウル面１６ａに流下していく。小間隔スリット部１５ｃのスリットからは洗浄水が絞られて広がりながら小間隔スリット部１５ｃ下方のボウル面１６ａに流下する。
【００２０】
小間隔スリット部１５ｃの下流側端１５ｆより下流からボウル面前部１６ｂまでのスリット１５ｂから流出する洗浄水は、その大半がボウル面前部１６ｂでＵターンして排水トラップ入口１７ａに向って汚物を押し込むように流れる主流Ｓを形成する。
そして、前記主流Ｓとスリット１５ｂから流出する洗浄水流とによってボウル面１６ａに時計回りの渦流が形成される。
【００２１】
小間隔スリット部１５ｃ以外のスリット１５ｂの開口間隔を約１０ｍｍと広くすることにより、洗浄水がＵターンする際のボウル面前部１６ｂ付近の流れをリム通水路１５ａ内に隠すことができ、飛沫水を大きく減少させることが可能となる。更に、リム部１５の下縁１５ｇ付近に洗浄水は接触せず、汚水で下縁１５ｇ付近が汚れてしまうのを防ぐことができる。
【００２２】
本実施例では、連通部１３ａを便器本体１１の中心軸線Ｘから右側（図１においては上側）に偏向した位置に配設したが、逆に、便器本体１１の中心軸線Ｘから左側（図１においては下側）に偏向した位置に配設し、小間隔スリット部１５ｃを中心軸線Ｘに対して対象の位置に配設した構成とし、ボウル面１６ａに反時計回りの渦流を形成するようにしてもよい。
【００２３】
また、本実施例ではスリット１５ｂの間隔寸法を約１０ｍｍ、小間隔スリット部１５ｃの間隔寸法を１〜５ｍｍとしたが、便器の大きさなどによって最適な間隔寸法に設定することは言うまでもない。また、小間隔スリット部１５ｃを便器本体とは別部材で製作し、スリット１５ｂに嵌め込んで小間隔スリット部を形成することもできる。
【００２４】
小間隔スリット部１５ｃの幅寸法（上流側端１５ｅと下流側端１５ｆとの距離）は、便器本体１１のボウル面１６ａの形状に応じて適宜設定されるが、排水トラップ１７へ汚物を押し込むような流れを発生させるためには図１に示すように、小間隔スリット部１５ｃの下流側端１５ｆから流出した洗浄水がボウル面前部１５ｂ付近でＵターンして排水トラップ入口１７ａ方向に流れる主流Ｓを形成する必要がある。
下流側端１５ｆを中心軸線Ｙよりも便器前方側まで延設すると、主流Ｓがボウル面１６ａを周回しすぎてボウル面前部１６ｂでＵターンして排水トラップ入口１７ａ方向へ流れる洗浄水流が弱くなり、汚物の排出が十分に行われない恐れがある。
また、前述したように小間隔スリット部１５ｃを形成するためにボウル部１６の上部外側部１６を凹形状１６ｅとする場合、下流側端１５ｆを中心軸線Ｙよりも便器前方側まで延設すると、便器本体を正面から見た場合に凹形状１６ｅが目に入ってしまい外観上好ましくない印象を与える。
以上から、小間隔スリット部１５ｃの下流側端１５ｆは中心軸線Ｙよりも便器後方側になるように配設することが望ましい。
【００２５】
また、本実施例では、リム通水路からのみの洗浄水流出により汚物を排出する便器で説明したが、排水トラップ入口１７ａに向って洗浄水を吐水するゼット流吐水口を備えた所謂サイホンゼット便器においても本発明は適用できる。
【００２６】
また、本実施例では、小間隔スリット部１５ｃは図１に示すように便器本体の左右方向の中心軸線Ｘに対して便器本体の前方側からみて右側に配設し、小間隔スリット部１５ｃを構成するために図３に示すようにボウル部１６の上部外側部１６ｄを凹形状１６ｅにしている。そのため鋳込み成形した後の便器本体の成形体の乾燥工程、焼成工程において、便器本体の左右方向の形状のバランスがくずれて小間隔スリット部１５ｃを構成したリム部１５が矢印Ｂのように下方に垂れ下がって変形して便器本体が左右非対称の形状となる恐れがある。
【００２７】
前記恐れを解決するためには、便器本体の左右方向の中心軸線Ｘに対して左右対称の位置に小間隔スリット部１５ｃと同じ形状の小間隔スリット部を設けることが好ましい。そうすることにより便器本体の左右方向の形状がバランスし左右対称形状が保てる。
【図面の簡単な説明】
【図１】本発明の実施例に係る便器本体の平面図。
【図２】図１のＡ−Ａ縦断面図。
【図３】図１のＢ−Ｂ縦方向の部分断面図。
【図４】図１のＣ−Ｃ縦方向の部分断面図。
【図５】従来の便器の平面図。
【図６】ディストリビュータを用いた従来の便器の平面図。
【図７】ディストリビュータを用いない従来の便器の平面図。
【符号の説明】
１…便器本体
２…洗浄水口
３…中央通水路
４…外側通水路
５…リム通水路
１１…便器本体
１２…洗浄水流入口
１３…導水路
１３ａ…連通部
１３ｂ…偏向部
１４…溜水面
１５…リム部
１５ａ…リム通水路
１５ｂ…スリット
１５ｃ…小間隔スリット部
１５ｄ…棚部
１５ｅ…上流側端
１５ｆ…下流側端
１５ｇ…リム部１５の下縁
１６…ボウル部
１６ａ…ボウル面
１６ｂ…ボウル面前部
１６ｃ…ボウル面後部
１６ｄ…ボウル部１６の上部外側部
１６ｅ…凹形状
１７…排水トラップ
１７ａ…排水トラップ入口
Ｓ…主流
Ｗ…４５゜軸線
Ｘ…便器本体の左右方向の中心軸線
Ｙ…ボウル部の前後方向の中心軸線
Ｚ…連通部１３ａの中心軸線
【図１】
2004238891.tif 000003
【図２】
2004238891.tif 000004
【図３】
2004238891.tif 000005
【図４】
2004238891.tif 000006
【図５】
2004238891.tif 000007
【図６】
2004238891.tif 000008
【図７】
2004238891.tif 000009